(57)【特許請求の範囲】
【請求項１】
リターングリルと、前記リターングリルと対向して設けられ、上下方向に複数の取付孔が形成された背面パネルと、一端が前記複数の取付孔のいずれかに挿通する支持部材と、前記支持部材に搭載され、前記リターングリルと前記背面パネルとの間に任意の姿勢で架設されたデッキパンとを備えたデッキパンの取付構造において、
前記背面パネルの裏面に前記複数の取付孔を跨ぐ態様で一端と他端とが架設され、かつ、上下方向に隣り合う取付孔と取付孔との間で移動可能に支承され、いずれかの取付孔に前記支持部材の一端が挿通した場合に、当該取付孔と重なる部位が押し込まれることにより引っ張られ、残りの取付孔を閉塞する可撓性の帯状部材と、
前記背面パネルの裏面において上下方向に隣り合う取付孔と取付孔との間に設けられ、前記帯状部材を取付孔に沿って移動可能に支承するガイド部と、
を備えたことを特徴とするデッキパンの取付構造。
【発明の詳細な説明】
【技術分野】
【０００１】
本発明は、陳列室の底壁を成すデッキパンの取付構造に関する。
【背景技術】
【０００２】
前面が開口した、いわゆるオープンショーケースは、リターングリルと背面パネルとの間に陳列室の底壁をなすデッキパンが架設される。そして、リターングリルに設けられた吸込口から吸い込まれた空気は、オープンショーケース本体（以下、「ケース本体」という）とデッキパンとの間、ケース本体と背面パネルとの間、ケース本体と天井パネルとの間に設けられた通風路を通り、リターングリルと対向するハニカム（整流体）に設けられた吹出口から吹き出され、陳列室の前面にエアカーテンを生成する。また、ケース本体と背面パネルとの間には、熱交換器（蒸発器）が設置してあり、リターングリルから吸い込まれた空気は、熱交換器の周囲を通過する際に冷却される。
【０００３】
ところで、上述した背面パネルは、上下方向に複数の取付孔が設けてある。そして、これら複数の取付孔のうちから任意の取付孔を選択し、選択した取付孔にデッキパンを搭載する支持部材の一端を挿通することにより、デッキパンが任意の姿勢（水平姿勢あるいは選択された角度で手前下がりとなる傾斜姿勢）で取り付けられる（たとえば、特許文献１、特許文献２参照）。
【０００４】
しかしながら、通風路と陳列室とは取付孔を介して連通しているので、デッキパンの取り付けに用いられなかった取付孔が陳列室に露出すると、通風路から陳列室に冷却された空気が漏れ、ショートサーキットの原因になる。
【０００５】
このような問題を解決すべく、従来は、デッキパンの取り付けに用いられなかった取付孔が陳列室に露出する場合には、陳列室に露出した取付孔をテープ等で塞がなければならなかった。
【先行技術文献】
【特許文献】
【０００６】
【特許文献１】特開平６−５０６５５号公報
【特許文献２】特開平８−３０３９１７号公報
【発明の概要】
【発明が解決しようとする課題】
【０００７】
しかしながら、陳列室に露出した取付孔をテープ等で塞ぐことにすると、陳列室に露出した取付孔を塞ぎ忘れることがある。
【０００８】
本発明は、上記に鑑みてなされたものであって、デッキパンの取り付けに用いられなかった取付孔を介して、通風路から陳列室に冷却された空気が漏れることのないデッキパンの取付構造を提供することを目的とする。
【課題を解決するための手段】
【０００９】
上述した課題を解決し、目的を達成するために、本発明は、リターングリルと、前記リターングリルと対向して設けられ、上下方向に複数の取付孔が形成された背面パネルと、一端が前記複数の取付孔のいずれかに挿通する支持部材と、前記支持部材に搭載され、前記リターングリルと前記背面パネルとの間に任意の姿勢で架設されたデッキパンとを備えたデッキパンの取付構造において、前記背面パネルの裏面に前記複数の取付孔を跨ぐ態様で一端と他端とが架設され、かつ、上下方向に隣り合う取付孔と取付孔との間で移動可能に支承され、いずれかの取付孔に前記支持部材の一端が挿通した場合に、当該取付孔と重なる部位が押し込まれることにより引っ張られ、残りの取付孔を閉塞する可撓性の帯状部材と、前記背面パネルの裏面において上下方向に隣り合う取付孔と取付孔との間に設けられ、前記帯状部材を取付孔に沿って移動可能に支承するガイド部とを備えたことを特徴とする。
【発明の効果】
【００１１】
本発明にかかるデッキパンの取付構造は、背面パネルの裏面に複数の取付孔を跨ぐ態様で一端と他端とが架設され、かつ、上下方向に隣り合う取付孔と取付孔との間で移動可能に支承された可撓性の帯状部材を備えたので、いずれかの取付孔に支持部材の一端が挿通した場合に、当該取付孔と重なる部位が押し込まれることにより引っ張られ、残りの取付孔を閉塞する。これにより、デッキパンの取り付けに用いられなかった取付孔を介して、背面パネルとケース本体との間に設けられた通風路から背面パネルの前方に設けられた陳列室に冷却された空気が漏れることがない。
【図面の簡単な説明】
【００１２】
【図１】図１は、本発明の実施の形態であるデッキパンの取付構造を適用するショーケースを示す斜視図である。
【図２】図２は、本発明の実施の形態であるデッキパンの取付構造を説明するための分解斜視図である。
【図３】図３は、図２に示したIII−III断面図である。
【図４】図４は、図２に示したIV矢視図である。
【図５】図５は、図４に示したV−V断面図である。
【発明を実施するための形態】
【００１３】
以下に、本発明にかかるデッキパンの取付構造の実施の形態を図面に基づいて詳細に説明する。なお、この実施の形態によりこの発明が限定されるものではない。
【００１４】
まず、図１に基づいて、本発明の実施の形態であるデッキパンの取付構造を適用するショーケースについて説明する。なお、図１は、本発明の実施の形態であるデッキパンの取付構造を適用するショーケースを示す斜視図である。
【００１５】
ここで例示するショーケース１は、スーパーマーケット等の店舗において冷凍食品や生鮮食品等の商品を陳列販売するためのいわゆるオープンショーケースと称されるもので、機械ケース２と、機械ケース２に搭載されたケース本体３とを備えて構成してある。
【００１６】
機械ケース２は、鋼板を適宜組み合わせることにより、直方体の箱状に構成したもので、内部を機械室としている。機械室には、電装ボックス（図示せず）、フィルタ（図示せず）、圧縮機（図示せず）、凝縮器（熱交換器）（図示せず）が設置してある。なお、冷凍機を別途設置する冷凍機別置型の場合には、機械室にフィルタ、圧縮機、凝縮器（熱交換器）を設置する必要はない。
【００１７】
ケース本体３は、前面が開口した略直方体の箱状に構成したもので、船底壁部３１、船底壁部３１の前端縁から上方に延在する前壁部３２、船底壁部３１の後端縁から上方に向けて延在する背壁部３３、背壁部３３の上端縁から前方に向けて延在する上壁部３４を有している。これら船底壁部３１、前壁部３２、背壁部３３、上壁部３４には、断熱材が充填してあり、ケース本体３の内部と外部とは断熱されている。
【００１８】
前壁部３２の内側には、リターングリル４が設置してある。リターングリル４は、ケース本体３の内部に空気を取り込むためのもので、上面を覆うとともに、前壁部３２との間に通風路（リターンダクト）４０を画成している。また、リターングリル４の上面には、ケース本体３の内部に空気を取り込むための吸込口（図示せず）が設けてある。吸込口は、細長い矩形のスリット（図示せず）を並設したもので、吸込口に商品などが落下する事態を防止している。
【００１９】
また、ケース本体３の内部下方域には、ファンダクト５が設けてある。ファンダクト５は、ケース本体３の内部の空気（吸込口から吸い込んだ空気）を取り込んで循環させるためのもので、その内部には、前面が前方斜め上方に向いたファン５１が設置してある。そして、ファン５１を稼働させると、ケース本体３の内部の空気がファンダクト５の内部に取り込まれる。
【００２０】
また、背壁部３３の内側には、背面パネル６が設置してある。背面パネル６は、背壁部３３と離隔する態様で設置してあり、背壁部３３との間に通風路（背面ダクト）６０を画成している。この通風路６０は、ファンダクト５と連通しており、ファンダクト５から取り込まれた空気が流入する。
【００２１】
また、ファンダクト５との境界部分には、蒸発器（熱交換器）５２が設置してある。蒸発器５２は、ファンダクト５から流入した空気を冷却するためのもので、ファンダクト５から流入した空気は、蒸発器５２の周囲を通過する際に冷却される。
【００２２】
また、背面パネル６の上端縁から前方に天井パネル７が延在している。天井パネル７は、上壁部３４と離隔しており、上壁部３４との間に通風路（天井ダクト）７０を画成している。この通風路７０は、背壁部３３と背面パネル６との間に画成した通風路（背面ダクト）６０と連通しており、蒸発器５２において冷却された空気が流入する。
【００２３】
天井パネル７の前端部には、下方に向けて開口したハニカム構造の吹出口７１が設けてある。吹出口７１は、上述した吸込口と対向しており、吹出口７１から吹き出された空気を吸込口から吸い込むことにより、ケース本体３の前面にエアカーテンが形成される。
【００２４】
そして、上述したリターングリル４、背面パネル６、天井パネル７と後述するデッキパン８によって囲まれる空間が陳列室を構成する。陳列室には、上下方向に複数段の棚板９が設けてある（本実施の形態では４段の棚板９が設けてある）。棚板９は、それぞれ背面パネル６から前方に向けて互いに平行となる態様で延在しており、上段から下段に向かうにしたがって漸次奥行きが広くなるように、いわゆるひな壇上に構成してある。
【００２５】
つぎに、図２〜図５に基づいて、本発明の実施の形態であるデッキパンの取付構造を説明する。なお、図２は、本発明の実施の形態であるデッキパンの取付構造を説明するための分解斜視図であり、図３は、図２に示したIII−III断面図、図４は、図２に示したIV矢視図である。また、図５は、図４に示したV−V断面図である。
【００２６】
図１に示すように、デッキパン８は、上述した陳列室の底壁を構成する部材であって、上述した船底壁部３１との間に通風路（底面ダクト）８０を画成し、リターングリル４の吸込口から吸い込まれた空気は、この通風路８０を通ってファンダクト５に取り込まれる。
【００２７】
図２に示すように、本発明の実施の形態であるデッキパン８は、板状体であって、支持部材１０に搭載され、リターングリル４と背面パネル６との間に架設される。支持部材１０は、前後方向に延びる棒状の主部材１１と、主部材１１と交差する棒状の補助部材１２とを備えており、主部材１１の一端がリターングリル４に支持され、主部材１１の他端が背面パネル６に支持されることにより、取り付けられる。そして、支持部材１０に搭載されたデッキパン８に加えられる荷重は、主部材１１と補助部材１２とが負担する。
【００２８】
背面パネル６には、上下方向に複数の取付孔６１が形成してあり、いずれかの取付孔６１に支持部材１０（主部材１１）の一端を挿通させることにより、支持部材１０が任意の姿勢で支持される。たとえば、下方域の取付孔６１に支持部材１０の一端を挿通させると支持部材１０が水平姿勢で支持され、上方域の取付孔６１に支持部材１０の一端を挿通させると支持部材１０が手前下がりとなる姿勢で支持される。したがって、これら複数の取付孔６１から任意の取付孔６１を選んで支持部材１０の一端を挿通させることにより、支持部材１０および支持部材１０に搭載されるデッキパン８の姿勢が決まることになる。
【００２９】
図３に示すように、背面パネル６の裏面には、複数の取付孔６１を跨ぐ態様で帯状部材２０が架設してある。帯状部材２０は、いずれかの取付孔６１に支持部材１０の一端が挿通した場合に、当該取付孔６１と重なる部位２０Ａが押し込まれることにより引っ張られ、残りの取付孔６１を閉塞するためのもので、可撓性の材料（たとえば、軟質性のプラスチック、布）で構成してある。帯状部材２０は、上下方向に隣り合う取付孔６１と取付孔６１との間で移動可能に支承するとともに、いずれかの取付孔６１に支持部材１０の一端を挿通した場合に押し込まれる分のたるみを残して一端２０ａと他端２０ｂとが固定してある。これにより、支持部材１０の一端が挿通する取付孔６１を変更した場合には、当該取付孔６１と重なる部位２０Ａが押し込まれることにより引っ張られ、たるみが移動する。
【００３０】
また、図４および図５に示すように、上下方向に隣り合う取付孔６１と取付孔６１との間には、帯状部材２０を移動可能に支承するガイド部６２が背面パネル６に設けてある。ガイド部６２は、背面パネル６を表面側から裏面側に膨出させることにより形成してあり、加工により丸みを帯びた側（ダレ側６２ａ）が帯状部材２０を移動可能に支承する。
【００３１】
上述した実施の形態であるデッキパンの取付構造は、上下方向に隣り合う取付孔６１と取付孔６１との間で移動可能に支承するとともに、いずれかの取付孔６１に支持部材１０の一端を挿通した場合に押し込まれる分のたるみを残して一端２０ａと他端２０ｂとが固定された帯状部材２０が複数の取付孔６１を跨ぐ態様で架設してあるので、いずれかの取付孔６１に支持部材１０の一端が挿通した場合に、当該取付孔６１と重なる部位２０Ａが押し込まれることにより引っ張られ、残りの取付孔６１を閉塞する。これにより、デッキパン８の取り付けに用いられなかった取付孔６１を介して、背面パネル６とケース本体３（背壁部３３）との間に設けられた通風路６０から背面パネル６の前方に設けられた陳列室に冷却された空気が漏れることがない。
【符号の説明】
【００３２】
１    ショーケース
２    機械ケース
３    ケース本体
３１    船底壁部
３２    前壁部
３３    背壁部
３４    上壁部
４    リターングリル
５    ファンダクト
５１    ファン
５２    蒸発器
６    背面パネル
６０    通風路
６１    取付孔
６２    ガイド部
６２ａ    ダレ側
７    天井パネル
７０    通風路
７１    吹出口
８    デッキパン
８０    通風路
９    棚板
１０    支持部材
１１    主部材
１２    補助部材
２０    帯状部材
２０Ａ    取付孔と重なる部位
２０ａ    一端
２０ｂ    他端
【図１】
0005644378.tif 000002
【図２】
0005644378.tif 000003
【図３】
0005644378.tif 000004
【図４】
0005644378.tif 000005
【図５】
0005644378.tif 000006